(57)【要約】      （修正有）【課題】ユーザーが編集作業を再開するのに都合が良い状態に編集画面を速やかに戻すことができる表示装置、表示方法および表示プログラムを提供する。【解決手段】表示装置本体１００は、表示部４０、選択手段である操作部１０、変更手段、および復元手段を含む画像処理部２０を有する。表示部４０は、画面にオブジェクトを表示する。操作部１０は、上記オブジェクトを選択する。上記変更手段は、上記オブジェクトのうち操作部１０で選択されて消去指示を受けたオブジェクトの表示形態を変更する。上記復元手段は、表示形態が変更された上記オブジェクトのうち操作部１０で選択されて復元指示を受けたオブジェクトの表示形態を復元する。【選択図】図２
2015060464.tif 000002
【特許請求の範囲】
【請求項１】
画面にオブジェクトを表示する表示手段と、
前記オブジェクトを選択する選択手段と、
前記オブジェクトのうち前記選択手段で選択されて消去指示を受けたオブジェクトの表示形態を変更する変更手段と、
表示形態が変更された前記オブジェクトのうち前記選択手段で選択されて復元指示を受けたオブジェクトの表示形態を復元する復元手段と、
を有する、表示装置。
【請求項２】
前記変更手段は、
アンドゥモードである場合、前記選択手段で選択されて消去指示を受けたオブジェクトの表示形態を変更して表示する一方で、
アンドゥモードではない場合、前記オブジェクトを前記画面から消去することを特徴とする請求項１に記載の表示装置。
【請求項３】
前記オブジェクトは、手書きオブジェクト、図形オブジェクト、または画像オブジェクトであることを特徴とする請求項１または２に記載の表示装置。
【請求項４】
前記表示手段は、電子ペーパーを備え、
前記変更手段は、
前記電子ペーパーに表示された前記オブジェクトを消去して、前記オブジェクトの残像を生成することにより、前記オブジェクトの表示形態を変更することを特徴とする請求項１〜３のいずれか１項に記載の表示装置。
【請求項５】
前記選択手段で選択されて前記消去指示を受けたオブジェクトに関する情報を後入れ先出し方式で記憶する記憶手段をさらに有し、
前記復元手段は、
前記選択手段がいずれのオブジェクトも選択していない状態で復元指示を受けた場合、最後に前記記憶手段に記憶したオブジェクトの表示形態を復元することを特徴とする請求項１〜４のいずれか１項に記載の表示装置。
【請求項６】
前記変更手段は、
前記オブジェクトの形状、サイズ、色、模様、線種、および線幅のいずれかを変更することを特徴とする請求項１〜５のいずれか１項に記載の表示装置。
【請求項７】
前記変更手段は、
前記画面上に表示されているオブジェクトのいずれかが消去指示を受けるごとに、既に消去指示を受けたオブジェクトの表示形態を段階的に変更することを特徴とする請求項１〜６のいずれか１項に記載の表示装置。
【請求項８】
前記変更手段は、
前記既に消去指示を受けたオブジェクトの破線の間隔、線の太さ、線の濃さ、線の色のいずれかについて段階的に変更することを特徴とする請求項７に記載の表示装置。
【請求項９】
画面にオブジェクトを表示する段階と、
前記オブジェクトを選択手段で選択する段階と、
前記オブジェクトのうち前記選択手段で選択されて消去指示を受けたオブジェクトの表示形態を変更する段階と、
表示形態が変更された前記オブジェクトを前記選択手段で選択する段階と、
表示形態が変更された前記オブジェクトのうち前記選択手段で選択されて復元指示を受けたオブジェクトの表示形態を復元する段階と、
を有する表示方法。
【請求項１０】
前記オブジェクトの表示形態を変更する段階では、
アンドゥモードである場合、前記選択手段で選択されて消去指示を受けたオブジェクトの表示形態を変更して表示する一方で、
アンドゥモードではない場合、前記オブジェクトを前記画面から消去することを特徴とする請求項９に記載の表示方法。
【請求項１１】
前記オブジェクトは、手書きオブジェクト、図形オブジェクト、または画像オブジェクトであることを特徴とする請求項９または１０に記載の表示方法。
【請求項１２】
電子ペーパーを備える表示装置において実行される表示方法であって、
画面にオブジェクトを表示する段階と、
前記オブジェクトを選択手段で選択する段階と、
前記オブジェクトのうち前記選択手段で選択されて消去指示を受けたオブジェクトの表示形態を変更する段階と、
表示形態が変更された前記オブジェクトを選択手段で選択する段階と、
表示形態が変更された前記オブジェクトのうち前記選択手段で選択されて復元指示を受けたオブジェクトの表示形態を復元する段階と、を有し、
前記オブジェクトの表示形態を変更する段階では、
前記電子ペーパーに表示された前記オブジェクトを消去して、前記オブジェクトの残像を生成することにより、前記オブジェクトの表示形態を変更することを特徴とする表示方法。
【請求項１３】
表示装置に請求項９〜１２のいずれか１項に記載の表示方法を実行させるように構成される、表示プログラム。
【請求項１４】
請求項１３に記載の表示プログラムを記録したコンピューター読み取り可能な記録媒体。
【発明の詳細な説明】
【技術分野】
【０００１】
本発明は、表示装置、表示方法および表示プログラムに関する。
【背景技術】
【０００２】
コンピューター上で図形や画像を編集するアプリケーション・ソフトウェアには、編集画面を作業前の状態に戻して、ユーザーが作業を再開できるようにするための機能（以下、「アンドゥ機能」と称する）が用意されていることが多い。このようなアプリケーション・ソフトウェアのアンドゥ機能を実行すると、編集作業中のある時点において直前に完了した編集作業が実行される前の元の状態に編集画面を戻すことができる。すなわち、アンドゥ機能が実行されるたびに、その時点において直前に完了した編集作業の１つ前の編集作業が完了した状態に編集画面を戻すことができる。したがって、ユーザーは、必要な回数だけアンドゥ機能を実行することにより、編集作業を再開するのに都合が良い特定の状態まで編集画面を戻したのちに編集作業を再開できる。
【０００３】
ところが、何回アンドゥ機能を実行すれば、ユーザーが編集作業を再開するのに都合が良い特定の状態になるのかについて、ユーザー自身が把握していない場合もある。たとえば、編集作業がだいぶ進んでから誤りに気付いた場合などである。このような場合、上記特定の状態になるまで、ユーザーは何度もアンドゥ機能を実行して、それまでに完了した編集作業を遡る必要がある。また、編集作業を遡る過程でアンドゥ機能を余計に実行してしまい、必要な編集作業まで元に戻してしまうおそれもある。このように、従来のアンドゥ機能では、アンドゥ機能が実行されるたびに１つ前の編集作業が完了した状態に編集画面を戻すので、編集作業の効率が良くなかった。
【０００４】
このような事情を考慮して、ユーザーが編集画面を上記特定の状態に戻しやすくするため、アンドゥ機能の改良が進められてきた（たとえば、下記の特許文献１を参照）。特許文献１のデータ処理装置では、文書の編集作業において、ツリー構造または時間軸を使用して作業履歴を表示することにより、ユーザーが編集画面を上記特定の状態に戻しやすくしている。
【０００５】
しかしながら、特許文献１のデータ処理装置では、ユーザーが編集画面上で編集した文書が作業履歴と関連付けられて表示されないため、ツリー構造または時間軸を使用した作業履歴を見ただけでは、ユーザーが上記特定の状態を直ちに想起することは難しい。したがって、特許文献１のデータ処理装置では、編集画面を上記特定の状態に速やかに戻すことが困難であるという問題がある。
【先行技術文献】
【特許文献】
【０００６】
【特許文献１】国際公開第２００６／０５１９６１号パンフレット
【発明の概要】
【発明が解決しようとする課題】
【０００７】
本発明は、上記問題に鑑みてなされたものである。したがって、本発明の目的は、ユーザーが編集作業を再開するのに都合が良い状態に編集画面を速やかに戻すことができる表示装置、表示方法および表示プログラムを提供することである。
【課題を解決するための手段】
【０００８】
本発明の上記目的は、下記によって達成される。
【０００９】
（１）画面にオブジェクトを表示する表示手段と、前記オブジェクトを選択する選択手段と、前記オブジェクトのうち前記選択手段で選択されて消去指示を受けたオブジェクトの表示形態を変更する変更手段と、表示形態が変更された前記オブジェクトのうち前記選択手段で選択されて復元指示を受けたオブジェクトの表示形態を復元する復元手段と、を有する、表示装置。
【００１０】
（２）前記変更手段は、アンドゥモードである場合、前記選択手段で選択されて消去指示を受けたオブジェクトの表示形態を変更して表示する一方で、アンドゥモードではない場合、前記オブジェクトを前記画面から消去することを特徴とする上記（１）に記載の表示装置。
【００１１】
（３）前記オブジェクトは、手書きオブジェクト、図形オブジェクト、または画像オブジェクトであることを特徴とする上記（１）または（２）に記載の表示装置。
【００１２】
（４）前記表示手段は、電子ペーパーを備え、前記変更手段は、前記電子ペーパーに表示された前記オブジェクトを消去して、前記オブジェクトの残像を生成することにより、前記オブジェクトの表示形態を変更することを特徴とする上記（１）〜（３）のいずれか１つに記載の表示装置。
【００１３】
（５）前記選択手段で選択されて前記消去指示を受けたオブジェクトに関する情報を後入れ先出し方式で記憶する記憶手段をさらに有し、前記復元手段は、前記選択手段がいずれのオブジェクトも選択していない状態で復元指示を受けた場合、最後に前記記憶手段に記憶したオブジェクトの表示形態を復元することを特徴とする上記（１）〜（４）のいずれか１つに記載の表示装置。
【００１４】
（６）前記変更手段は、前記オブジェクトの形状、サイズ、色、模様、線種、および線幅のいずれかを変更することを特徴とする上記（１）〜（５）のいずれか１つに記載の表示装置。
【００１５】
（７）前記変更手段は、前記画面上に表示されているオブジェクトのいずれかが消去指示を受けるごとに、既に消去指示を受けたオブジェクトの表示形態を段階的に変更することを特徴とする上記（１）〜（６）のいずれか１つに記載の表示装置。
【００１６】
（８）前記変更手段は、前記既に消去指示を受けたオブジェクトの破線の間隔、線の太さ、線の濃さ、線の色のいずれかについて段階的に変更することを特徴とする上記（７）に記載の表示装置。
【００１７】
（９）画面にオブジェクトを表示する段階と、前記オブジェクトを選択手段で選択する段階と、前記オブジェクトのうち前記選択手段で選択されて消去指示を受けたオブジェクトの表示形態を変更する段階と、表示形態が変更された前記オブジェクトを前記選択手段で選択する段階と、表示形態が変更された前記オブジェクトのうち前記選択手段で選択されて復元指示を受けたオブジェクトの表示形態を復元する段階と、を有する表示方法。
【００１８】
（１０）前記オブジェクトの表示形態を変更する段階では、アンドゥモードである場合、前記選択手段で選択されて消去指示を受けたオブジェクトの表示形態を変更して表示する一方で、アンドゥモードではない場合、前記オブジェクトを前記画面から消去することを特徴とする上記（９）に記載の表示方法。
【００１９】
（１１）前記オブジェクトは、手書きオブジェクト、図形オブジェクト、または画像オブジェクトであることを特徴とする上記（９）または（１０）に記載の表示方法。
【００２０】
（１２）電子ペーパーを備える表示装置において実行される表示方法であって、画面にオブジェクトを表示する段階と、前記オブジェクトを選択手段で選択する段階と、前記オブジェクトのうち前記選択手段で選択されて消去指示を受けたオブジェクトの表示形態を変更する段階と、表示形態が変更された前記オブジェクトを選択手段で選択する段階と、表示形態が変更された前記オブジェクトのうち前記選択手段で選択されて復元指示を受けたオブジェクトの表示形態を復元する段階と、を有し、前記オブジェクトの表示形態を変更する段階では、前記電子ペーパーに表示された前記オブジェクトを消去して、前記オブジェクトの残像を生成することにより、前記オブジェクトの表示形態を変更することを特徴とする表示方法。
【００２１】
（１３）表示装置に上記（９）〜（１２）のいずれか１つに記載の表示方法を実行させるように構成される、表示プログラム。
【００２２】
（１４）上記（１３）に記載の表示プログラムを記録したコンピューター読み取り可能な記録媒体。
【発明の効果】
【００２３】
本発明によれば、消去指示を受けたオブジェクトの表示形態を変更するので、最後に消去指示を受けたオブジェクトに限らず、それ以前に消去指示を受けたオブジェクトについても、容易に復元できる。したがって、ユーザーが編集作業を再開するのに都合が良い状態に編集画面を速やかに戻すことができる。
【図面の簡単な説明】
【００２４】
【図１】本発明の一実施形態の表示装置の一例を示す正面図である。
【図２】図１に示す表示装置本体の概略構成を示すブロック図である。
【図３】図２に示す画像処理部の概略構成を示すブロック図である。
【図４】図２に示す表示部が備える電子ペーパーの主要部を説明するための断面図である。
【図５】図２に示す制御部の概略構成を示すブロック図である。
【図６】本発明の一実施形態の表示方法について説明するためのフローチャートである。
【図７Ａ】本発明の一実施形態のアンドゥ処理を説明するための図である。
【図７Ｂ】図７Ａに後続する図である。
【図７Ｃ】図７Ｂに後続する図である。
【図７Ｄ】図７Ｃに後続する図である。
【図８】本発明の一実施形態におけるアンドゥバッファの動作の一例について説明するための模式図である。
【図９Ａ】本発明の一実施形態における表示形態の変更例について説明するための図である。
【図９Ｂ】本発明の一実施形態における表示形態の変更例について説明するための図である。
【図９Ｃ】本発明の一実施形態における表示形態の変更例について説明するための図である。
【図１０Ａ】本発明の一実施形態における変形例のアンドゥ処理について説明するための図である。
【図１０Ｂ】図１０Ａに後続する図である。
【図１０Ｃ】図１０Ｂに後続する図である。
【図１０Ｄ】図１０Ｃに後続する図である。
【発明を実施するための形態】
【００２５】
以下、添付した図面を参照して本発明の視線検出装置の実施形態を説明する。なお、図中、同一の部材には同一の符号を用いた。また、図面の寸法比率は、説明の都合上誇張されており、実際の比率とは異なる場合がある。
【００２６】
（実施形態）
図１は本発明の一実施形態の表示装置の一例を示す正面図であり、図２は図１に示す表示装置本体の概略構成を示すブロック図である。また、図３は図２に示す画像処理部の概略構成を示すブロック図であり、図４は図２に示す表示部が備える電子ペーパーの主要部を説明するための断面図であり、図５は図２に示す制御部の概略構成を示すブロック図である。
【００２７】
＜表示装置の概略構成＞
図１に示すように、本実施形態の表示装置Ａは、表示装置本体１００およびタッチペン２００を有する。図２に示すように、表示装置本体１００は、操作部１０、画像処理部２０、電源部３０、表示部４０、および制御部５０を有し、これらの構成要素は、ケース部材６０により収容され、配線７０により電気的に接続されている。
【００２８】
操作部１０は、表示装置本体１００に対するユーザーからの操作入力を受け付ける。本実施形態では、操作部１０は、手書き入力ボタン１、消しゴムボタン２、アンドゥボタン３、ページめくりボタン４、およびタッチパネル・ディスプレイ５を備える。ユーザーは、手書き入力ボタン１、消しゴムボタン２、アンドゥボタン３、またはタッチパネル・ディスプレイ５を操作して、表示装置Ａに対して動作モードを設定することができる。本実施形態では、動作モードとして、手書き入力ボタン１を押すと手書き入力モードに設定され、消しゴムボタン２を押すと消しゴムモードに設定され、アンドゥボタン３を押すとアンドゥモードに設定される。
【００２９】
手書き入力モードでは、ユーザーは、タッチペン２００のペン先をタッチパネル・ディスプレイ５に接触させたまま移動させることにより、図形、文字などを手書きで入力できる。
【００３０】
また、消しゴムモードでは、ユーザーは、タッチパネル・ディスプレイ５に表示されている図形、画像、手書きの文字および図形など（以下、「オブジェクト」と称する）をタッチペン２００などで選択することにより「消去」できる。以下、本実施形態では、ユーザーの操作によって「消去」されたオブジェクトを「消去指示を受けたオブジェクト」と称する。本実施形態では、消去指示を受けたオブジェクトは、タッチパネル・ディスプレイ５の画面上から完全に消去されるのではなく、表示形態が変更されて表示される。本実施形態におけるオブジェクトの表示形態については、後述する。
【００３１】
また、アンドゥモードでは、ユーザーは、実行した入力操作を取り消すことができる。たとえば、手書き入力モードでオブジェクトが挿入されたのちにアンドゥボタン３が押された場合、上記オブジェクトの挿入が取り消される。また、消しゴムモードで消去指示を受けたオブジェクトがタッチペン２００などで選択された状態で、アンドゥボタン３が押された場合、上記オブジェクトの表示形態が「復元」される。すなわち、上記オブジェクトの表示形態が消去指示を受ける前の状態に戻る。以下、本実施形態では、消去指示を受けたオブジェクトがタッチペン２００などで選択された状態で、アンドゥボタン３が押されることを「復元指示を受ける」と称する。
【００３２】
また、ユーザーは、ページめくりボタン４を操作してタッチパネル・ディスプレイ５に表示されているページを次のページまたは前のページに切り替えることができる。
【００３３】
なお、本実施形態では、タッチパネル・ディスプレイ５に表示されたメニューＭＮから表示装置Ａの動作モードを選択することもできる。具体的には、ユーザーは、タッチペン２００のペン先を、タッチパネル・ディスプレイ５のメニューＭＮの手書き入力ＨＷ、消しゴムＥＲ、およびアンドゥＵＤのいずれかに接触させることにより、メニューＭＮから表示装置Ａの動作モードを選択する。本実施形態では、操作部１０およびタッチペン２００は選択手段として機能する。
【００３４】
画像処理部２０は、タッチパネル・ディスプレイ５に表示する画像データを生成および処理する。図３に示すように、本実施形態では、画像処理部２０は、生成部２１、変更部２２、および復元部２３を有する。生成部２１、変更部２２、および復元部２３の各機能は、図示しない画像処理用プロセッサーが画像処理用プログラムを実行することにより実現されるか、あるいは画像処理用ハードウェアにより実現されうる。
【００３５】
生成部２１は、タッチパネル・ディスプレイ５に表示する画像データを生成する。上述のとおり、本実施形態では、ユーザーはタッチパネル・ディスプレイ５に手書きで図形や文字を入力することができる。生成部２１は、操作部１０を通じて入力された手書きの図形や文字に基づいてオブジェクトを生成し、当該オブジェクトを所定のページに合成して画像データを生成する。上記所定のページのデータは、図示しない通信部を通じて外部機器からダウンロードされ、制御部５０に保存されている。生成された画像データは、表示部４０に伝達される。
【００３６】
また、ユーザーは、あらかじめ登録された図形や画像をメニューＭＮなどから入力することもできる。生成部２１は、上記タッチパネル・ディスプレイ５に表示するオブジェクトの形状などに関する表示データを図示しない記憶部に保存している。また、生成部２１は、上記通信部を通じて上記表示データを外部機器からダウンロードすることもできる。生成部２１は、上記オブジェクトの表示位置、サイズ、線幅、色などの情報を、操作部１０を通じてユーザーに入力させ、当該情報と上記表示データとに基づいてオブジェクトを生成できる。
【００３７】
変更部２２は、変更手段として機能し、上記オブジェクトの表示形態を変更する。変更部２２は、図示しないアンドゥバッファを有する。アンドゥバッファは、所定数の記憶領域を備え、消去指示を受けたオブジェクト（以下、「消去オブジェクト」と称する）に関する情報を、消去指示を受けた順序で取り込み、後入先出法で格納する。オブジェクトに関する情報としては、たとえばオブジェクトの表示位置、サイズ、線幅、色などが挙げられる。
【００３８】
本実施形態では、アンドゥバッファは、１０個程度の記憶領域を有することが好ましいが、アンドゥバッファの記憶領域の個数はとくに限定されない。更新部２２が、たとえば１０個の記憶領域を備えるアンドゥバッファを有する場合、１１個目のオブジェクトが消去指示を受けると、最初に格納した１個目の消去オブジェクトは画面から完全に消去される。すなわち、アンドゥバッファが備える所定数の記憶領域を超えてオブジェクトが消去指示を受けた場合、最も古い消去オブジェクトが完全に消去される。
【００３９】
変更部２２は、タッチパネル・ディスプレイ５に表示された上記オブジェクトのうちタッチペン２００で選択されて消去指示を受けたオブジェクトの表示形態を変更する。すなわち、消しゴムボタン２が押されてから、または消しゴムボタン２が押された状態で消去すべき特定のオブジェクトが選択されるか、あるいは消去すべき特定のオブジェクトが選択された状態で消しゴムボタン２が押されるとオブジェクトの表示形態が変更される。本実施形態では、たとえば実線で描かれた図形が破線で描かれた図形に変更される。オブジェクトの表示位置は、変更前と同じ位置である。
【００４０】
なお、本実施形態では、オブジェクトの表示形態とは、オブジェクトがタッチパネル・ディスプレイ５に表示されるときの形態を意味する。オブジェクトの表示形態には、たとえば、オブジェクトの形状、サイズ、色、模様、線種、線幅などが含まれる。オブジェクトの表示形態の具体例については後述する。
【００４１】
復元部２３は、復元手段として機能し、上記オブジェクトの表示形態を復元する。復元部２３は、表示形態が変更された上記オブジェクトのうちタッチペン２００で選択されて復元指示を受けたオブジェクトの表示形態を復元する。すなわち、復元すべき特定のオブジェクトが選択された状態でアンドゥボタン３が押されるとオブジェクトの表示形態が復元される。本実施形態では、たとえば、消しゴムモードにより表示形態が実線から破線に変更された図形が、アンドゥモードにより実線で描かれた図形に復元される。オブジェクトの表示位置は、変更前および復元前と同じ位置である。
【００４２】
なお、オブジェクトは、タッチペン２００でタッチして個別に選択してもよいし、複数個まとめて選択されてもよい。また、タッチペン２００でオブジェクトをなぞることにより、オブジェクトを部分的に選択できるように構成してもよい。手書き入力オブジェクトは、手書き入力の開始位置から終了位置までの１ストロークをオブジェクトの単位とすることができる。
【００４３】
電源部３０は、表示装置本体１００の各部に電力を供給する。電源部３０は、表示装置本体１００を持ち運びやすくする観点から、電源として電池を備えることが好ましい。また、上記電池としては、アルカリ蓄電池、リチウムイオン電池などの二次電池であることが好ましい。
【００４４】
表示部４０は、表示手段として機能し、画像処理部２０で生成および処理された画像データを含むページをタッチパネル・ディスプレイ５に表示する。本実施形態では、表示部４０は、タッチパネル・ディスプレイ５と、タッチパネル・ディスプレイ５を駆動するための表示ドライバー（不図示）とを有する。タッチパネル・ディスプレイ５には、電子ペーパーが備えられている。
【００４５】
以下、図４を参照して、表示部４０が備える電子ペーパーの主要部の構造について詳細に説明する。表示部４０の電子ペーパーは、支持層４１、背面電極４２、接着層４３、透明電極４４、表面層４５、およびマイクロカプセル４６を有する。マイクロカプセル４６は、黒色顔料４６ａおよび白色顔料４６ｂを有する。
【００４６】
上記電子ペーパーは、負電荷を帯びた黒色顔料４６ａ及び正電荷を帯びた白色顔料４６ｂがオイル等の透明分散媒とともに封入されたマイクロカプセル４６による電気泳動方式の表示技術を採用している。
【００４７】
表面層４５は、ＰＥＴ（Ｐｏｌｙｅｔｈｙｌｅｎｅ  Ｔｅｒｅｐｈｔｈａｌａｔｅ）フィルム等の透明な材料からなる前面基板であり、その背面側にはＩＴＯ（Ｉｎｄｉｕｍ  Ｔｉｎ  Ｏｘｉｄｅ）等の透明な電導膜からなる透明電極４４が配置されている。また、支持層４１はポリイミドフィルム等の絶縁性を有する材料からなる背面基板であり、その前面側には個々のマイクロカプセル４６に対応する微小な金属板からなる背面電極（セグメント電極）４２が配置されている。
【００４８】
そして、個々の背面電極４２と透明電極４４との間には前述のマイクロカプセル４６が配置されており、個々のマイクロカプセル４６は接着層４３を介して個々の背面電極４２と接合されている。このように２枚の電極板４２，４４を介して前面基板（表面層４５）と背面基板（支持層４１）との間の空間に２次元的に配置された多数のマイクロカプセル４６が上記電子ペーパーの表示領域を形成している。
【００４９】
このように配置されたマイクロカプセル４６による表示原理は次の通りである。一のマイクロカプセル４６に対応する背面電極４２に正電位が与えられると、負電荷を帯びた黒色顔料４６ａが背面電極４２側に移動するとともに正電荷を帯びた白色顔料４６ｂが透明電極４４側に移動するので、当該マイクロカプセル４６は表示領域の前面側から見て白色を表示することになる。
【００５０】
同様に、一のマイクロカプセル４６に対応する背面電極４２に負電位が与えられると、正電荷を帯びた白色顔料４６ｂが背面電極４２側に移動するとともに負電荷を帯びた黒色顔料４６ａが透明電極４４側に移動するので、当該マイクロカプセル４６は表示領域の前面側から見て黒色を表示することになる。
【００５１】
制御部５０は、操作部１０、画像処理部２０、電源部３０、および表示部４０を制御する。図５に示すように、制御部５０は、ＨＤＤ（Ｈａｒｄ  Ｄｉｓｋ  Ｄｒｉｖｅ）５１、ＲＡＭ（Ｒａｎｄｏｍ  Ａｃｃｅｓｓ  Ｍｅｍｏｒｙ）５２、およびＲＯＭ（Ｒｅａｄ  Ｏｎｌｙ  Ｍｅｍｏｒｙ）５３、およびＣＰＵ（Ｃｅｎｔｒａｌ  Ｐｒｏｃｅｓｓｉｎｇ  Ｕｎｉｔ）５４を有し、これらの各構成要素は内部バス５５により相互に接続されている。
【００５２】
ＨＤＤ５１は、ＯＳ（Ｏｐｅｒａｔｉｎｇ  Ｓｙｓｔｅｍ）、表示プログラムＤＰなどの各種ソフトウェアを保存する。
【００５３】
ＲＡＭ５２は、上記各種ソフトウェア、上記所定のページのデータ、ＣＰＵ５４が表示プログラムＤＰを実行した際の演算結果などを一時的に保存する。
【００５４】
ＲＯＭ５３は、ＣＰＵ５４が表示プログラムＤＰを実行する際に使用する各種パラメータなどを記憶している。
【００５５】
ＣＰＵ５４は、表示プログラムＤＰを実行することにより、本実施形態の表示方法を実現する。以下、図６〜図１０Ｄを参照して、本実施形態の表示方法についてより詳しく説明する。図６は本実施形態の表示方法について説明するためのフローチャートであり、図７Ａ〜図７Ｄは本実施形態のアンドゥ処理を説明するための図である。また、図８は本実施形態のアンドゥバッファの動作について説明するための模式図であり、図９Ａ〜図９Ｃは本実施形態の表示形態の変更例について説明するための図である。
【００５６】
以下では、たとえば、ユーザーが表示装置Ａで図形や画像を編集するアプリケーション・ソフトウェアを実行して、手書きで図形を編集する場合を例に挙げて本実施形態の表示方法を説明する。
【００５７】
まず、手書き入力ボタンが押されたか否かを判断する（ステップＳ１０１）。手書き入力ボタンが押された場合（ステップＳ１０１：ＹＥＳ）、手書き入力モードで編集する（ステップＳ１０２）。たとえば、図７Ａには、ユーザーがタッチペン２００で線分ＰＱ，ＱＲ，ＲＳ，ＳＰ，ＱＳを描いた場合が例示されている。タッチパネル・ディスプレイ５の画面には、オブジェクトとしての線分ＰＱ，ＱＲ，ＲＳ，ＳＰ，ＱＳが表示される。
【００５８】
なお、図７Ａには、たとえば線分ＰＱ，ＱＲ，ＱＳのように線分同士が一点Ｑで接しているように描かれているが、線分ＰＱ，ＱＲ，ＲＳ，ＳＰ，ＱＳは各々独立したオブジェクト（線分）であることを想定している。すなわち、各々の線分は開始位置および終了位置を有する。
【００５９】
また、図７Ａ〜図７Ｄでは、説明の便宜上、オブジェクトが直線である場合について例示しているが、オブジェクトは直線に限らず曲線、図形、文字などであってもよい。
【００６０】
そして、編集を終了するか否かを判断する（ステップＳ１０３）。編集を終了する場合（ステップＳ１０３：ＹＥＳ）、処理を終了する。一方、編集を終了しない場合（ステップＳ１０３：ＮＯ）、ステップＳ１０１の処理に戻る。
【００６１】
一方、手書き入力ボタンが押されていない場合（ステップＳ１０１：ＮＯ）、消しゴムボタンが押されたか否かを判断する（ステップＳ１０４）。消しゴムボタンが押された場合（ステップＳ１０４：ＹＥＳ）、消しゴムモードで編集する（ステップＳ１０５）。
【００６２】
図７Ｂに示すように、たとえば、ユーザーがタッチペン２００で線分ＲＳ，ＱＲ，ＱＳを順に選択すると、線分ＲＳ，ＱＲ，ＱＳの表示形態が実線から破線に変更される。そして、図８に示すように、アンドゥバッファ１，２，３には、それぞれ線分ＲＳ，ＱＲ，ＱＳに関する情報が格納される。線分に関する情報としては、たとえば開始位置および終了位置、線種、線幅、色などが挙げられる。一方、アンドゥバッファ４，５については、まだ何も格納されていない状態が示されている。なお、図８は、アンドゥバッファが線分ＲＳ，ＱＲ，ＱＳに関する情報を格納することについて概念的に説明するための図であり、線分ＲＳ，ＱＲ，ＱＳの形状の画像をアンドゥバッファに格納することを意味しない。
【００６３】
このように、本実施形態では、消しゴムモードにおいて、タッチペン２００でオブジェクトが選択されて消去指示を受けた場合、タッチパネル・ディスプレイ５の画面上の上記オブジェクトの表示形態が変更される。すなわち、手書き入力モードで入力された上記オブジェクトはタッチパネル・ディスプレイ５の画面上で完全には消去されず、入力された位置と同じ位置に上記オブジェクトの痕跡が残る。
【００６４】
なお、図８には、説明の都合上、アンドゥバッファが５個の記憶領域を有する場合について示されているが、アンドゥバッファの記憶領域の大きさは、５個の場合に限定されることはなく、任意の大きさに設定されうる。
【００６５】
そして、編集を終了するか否かを判断する（ステップＳ１０３）。編集を終了する場合（ステップＳ１０３：ＹＥＳ）、処理を終了する。一方、編集を終了しない場合（ステップＳ１０３：ＮＯ）、ステップＳ１０１の処理に戻る。
【００６６】
一方、消しゴムボタンが押されていない場合（ステップＳ１０４：ＮＯ）、アンドゥボタンが押されたか否かを判断する（ステップＳ１０６）。アンドゥボタンが押された場合（ステップＳ１０６：ＹＥＳ）、消去オブジェクトが選択されているか否かを判断する（ステップＳ１０７）。消去オブジェクトが選択されていない場合（ステップＳ１０７：ＮＯ）、最後に消去指示を受けたオブジェクトを復元する（ステップＳ１０８）。図８に示す例の場合、アンドゥバッファ３に格納されている最後に消去指示を受けた線分ＱＳが破線から実線に復元される。
【００６７】
一方、消去オブジェクトが選択されている場合（ステップＳ１０７：ＹＥＳ）、選択されたオブジェクトを復元する（ステップＳ１０９）。たとえば、図７Ｃおよび図７Ｄに示すように、消去指示を受けた線分ＱＲが選択されている場合、線分ＱＲの表示形態が破線から実線に復元される。このように、本実施形態では、表示形態が変更されたオブジェクトのうちタッチペン２００で選択されて復元指示を受けたオブジェクトの表示形態を復元する。その結果、消去指示を受けた順序にかかわらず、選択された消去オブジェクトの表示形態が元の表示形態に復元される。
【００６８】
そして、編集を終了するか否かを判断する（ステップＳ１０３）。編集を終了する場合（ステップＳ１０３：ＹＥＳ）、処理を終了する。一方、編集を終了しない場合（ステップＳ１０３：ＮＯ）、ステップＳ１０１に移行する。
【００６９】
以上のように、図６に示すフローチャートによれば、表示装置Ａは、タッチパネル・ディスプレイ５の画面上にオブジェクトを表示し、表示された上記オブジェクトのうちタッチペン２００で選択されて消去指示を受けたオブジェクトの表示形態を変更する。そして、表示装置Ａは、表示形態が変更された上記オブジェクトのうちタッチペン２００で選択されて復元指示を受けたオブジェクトの表示形態を復元する。
【００７０】
＜表示形態の変更＞
本実施形態では、タッチパネル・ディスプレイ５の画面上に表示されている消去オブジェクトの表示形態を、上記画面上に表示されているオブジェクトが消去指示を受けるごとに、段階的に変更することもできる。図９Ａ〜図９Ｃは本実施形態の表示形態の変更例について説明するための図である。
【００７１】
たとえば、オブジェクトが消去指示を受けるごとに、上記画面上の消去オブジェクトの破線の間隔を段階的に変更してもよい。図９Ａに示すように、オブジェクトとしての線分ＲＳ，ＱＲ，ＱＳがこの順で消去指示を受けた場合、線分ＲＳの破線の間隔が最も広く，線分ＱＳの破線の間隔が最も狭くなるようにする。消去オブジェクトの破線の間隔が広くなればなるほど、上記消去オブジェクトの線の部分の面積が減少するので、上記画面上に残る線分の痕跡が薄れる。
【００７２】
また、図９Ｂに示すように、線の幅を変更してもよい。オブジェクトとしての線分ＲＳ，ＱＲ，ＱＳがこの順で消去指示を受けた場合、線分ＲＳが最も細く，線分ＱＳが最も太くなるようにする。消去オブジェクトの線の幅が細くなればなるほど、上記消去オブジェクトの線の部分の面積が減少するので、上記画面上に残る線分の痕跡が薄れる。
【００７３】
また、図９Ｃに示すように、線の濃さを変更してもよい。オブジェクトとしての線分ＲＳ，ＱＲ，ＱＳがこの順で消去指示を受けた場合、線分ＲＳが最も薄く、線分ＱＳが最も濃くなるようにする。消去オブジェクトの線の濃さが薄くなればなるほど、上記画面上に残る線分の痕跡が薄れる。
【００７４】
このように、上記画面上に残る線分の痕跡は、消去オブジェクトが古くなればなるほど薄くなる。そして、上述のとおり、アンドゥバッファが備える所定数の記憶領域を超えてオブジェクトが消去指示を受けた場合、最も古い消去オブジェクトが完全に消去される。
したがって、複数の消去オブジェクトのうちどの消去オブジェクトが新しく、またどの消去オブジェクトが古いのかがユーザーにとって分かりやすい。また、古い消去オブジェクトのうち、どの消去オブジェクトが次に完全に消去されるのかがユーザーにとって分かりやすい。
【００７５】
また、上述のとおり、本実施形態の表示部４０は、電子ペーパーを備える。上記電子ペーパーにおいて、背面電極４２と透明電極４４とに電圧が印加されることにより、オブジェクトのドットに対応する複数のマイクロカプセル４６の黒色顔料４６ａが透明電極４４側に移動し、白色顔料４６ｂが背面電極４２側に移動する。その結果、上記オブジェクトのドットに対応する複数のマイクロカプセル４６は、上記ディスプレイの前面側から見て黒色を表示することになり、上記オブジェクトの形状が表現される。
【００７６】
そして、電子ペーパー上に表示された上記オブジェクトは、上記オブジェクトのドットを白色で上書きすることにより消去することができる。すなわち、印加電圧の正負を逆転させて、上記オブジェクトのドットに対応する複数のマイクロカプセル４６の黒色顔料４６ａを背面電極４２側に移動させ、白色顔料４６ｂを透明電極４４側に移動させることにより、上記オブジェクトを消去することができる。
【００７７】
しかしながら、黒色顔料４６ａおよび白色顔料４６ｂの移動は、電気的な引力に基づいているため、必ずしもすべての黒色顔料４６ａが背面電極４２側に移動し、白色顔料４６ｂが透明電極４４側に移動するとは限らない。一部の黒色顔料４６ａは、透明電極４４側に留まることがある。
【００７８】
そこで、このような透明電極４４側に留まった一部の黒色顔料４６ａを利用して、上記画面上にオブジェクトの痕跡を意図的に残すことにより、オブジェクトの残像を消去オブジェクトとして使用することもできる。すなわち、電子ペーパーに表示された上記オブジェクトを消去して、上記オブジェクトの残像を生成することにより、上記オブジェクトの表示形態を変更する。なお、透明電極４４側に黒色顔料４６ａをどの程度留まるようにするかは、背面電極４２に与える正電位の大きさと透明電極４４側に与える負電位の大きさとを調整することにより変更できる。
【００７９】
＜変形例＞
上述の図７Ａ〜図７Ｄの例では、消去オブジェクトがつねにタッチパネル・ディスプレイ５の画面上に表示され、ユーザーは、当該画面上の消去オブジェクトを確認し、アンドゥ処理を実行する場合について説明した。一方、以下に説明する変形例では、ユーザーがアンドゥボタン３を押している間のみ消去オブジェクトが上記画面上に表示され、ユーザーは、上記画面上の消去オブジェクトを確認し、アンドゥ処理を実行する場合について説明する。
【００８０】
図１０Ａ〜図１０Ｄは、本実施形態の変形例のアンドゥ処理について説明するための図である。本変形例では、図７Ａ〜図７Ｄの例と同様に手書きモードおいてユーザーがタッチペン２００で線分ＰＱ，ＱＲ，ＲＳ，ＳＰ，ＱＳを描いたのち、消しゴムモードで線分ＲＳ，ＱＲ，ＱＳを選択した場合を想定している。
【００８１】
図１０Ａに示すように、本変形例では、アンドゥボタン３が押されていないときは、消去オブジェクトは画面上に表示されない。
【００８２】
次に、図１０Ｂに示すように、アンドゥボタン３が押されると、消去オブジェクトが破線で画面上に表示される。本変形例では、線分ＲＳ，ＱＲ，ＱＳが消去指示を受けたので、これらの消去オブジェクトが画面上に表示される。このように、本変形例では、アンドゥボタン３が押されるなどユーザーによる所定の操作が実行されている間のみアンドゥモードになり、消去オブジェクトのうちで復元可能な候補が画面上に表示される。
【００８３】
次に、図１０Ｃに示すように、アンドゥボタン３が押された状態のままタッチペン２００で消去オブジェクトが選択される。本変形例では、線分ＱＲの消去オブジェクトが選択された場合が例示されている。
【００８４】
次に、図１０Ｄに示すように、アンドゥボタン３が離されると、復元された線分ＱＲが実線で上記画面上に表示される。一方、線分ＲＳ，ＱＳの消去オブジェクトは消去される。
【００８５】
このように、本変形例によれば、アンドゥボタン３が押されているときのみ復元可能な消去オブジェクトの候補が上記画面上に表示されるので、消去オブジェクトがつねに上記画面上に表示されている場合に比べてユーザーが煩わしく感じることが少ない。
【００８６】
以上のとおり説明した本実施形態の表示装置Ａ、表示方法および表示プログラムは、下記の効果を奏する。
【００８７】
本実施形態の表示装置Ａは、消去指示を受けたオブジェクトの表示形態を変更するので、最後に消去指示を受けたオブジェクトに限らず、それ以前に消去指示を受けたオブジェクトについても、容易に復元できる。したがって、ユーザーが編集作業を再開するのに都合が良い状態に編集画面を速やかに戻すことができる。
【００８８】
以上のとおり、実施形態において、本発明の表示装置、表示方法および表示プログラムを説明した。しかしながら、本発明は、その技術思想の範囲内において当業者が適宜に追加、変形、および省略することができることはいうまでもない。
【００８９】
たとえば、上述の実施形態では、表示部がモノクロの電子ペーパーを備える場合を例示して説明したが、本発明は、カラーの電子ペーパーにも適用できる。
【００９０】
また、上述の実施形態では、表示部が電子ペーパーを備える場合を例示して説明したが、本発明は、表示部が液晶表示装置、プラズマディスプレイ装置を備える場合などにも適用できる。
【符号の説明】
【００９１】
Ａ  表示装置、
ＤＰ  表示プログラム、
ＥＲ  消しゴム、
ＨＷ  手書き入力、
ＭＮ  メニュー、
ＵＤ  アンドゥ、
１  手書き入力ボタン、
２  消しゴムボタン、
３  アンドゥボタン、
４  ページめくりボタン、
１０  操作部、
２０  画像処理部、
２１  生成部、
２２  変更部、
２３  復元部、
３０  電源部、
４０  表示部、
５０  制御部、
５１  ＨＤＤ、
５２  ＲＡＭ、
５３  ＲＯＭ、
５４  ＣＰＵ、
５５  内部バス、
６０  ケース部材、
７０  配線、
１００  表示装置本体、
２００  タッチペン。
【図１】
2015060464.tif 000003
【図２】
2015060464.tif 000004
【図３】
2015060464.tif 000005
【図４】
2015060464.tif 000006
【図５】
2015060464.tif 000007
【図６】
2015060464.tif 000008
【図７Ａ】
2015060464.tif 000009
【図７Ｂ】
2015060464.tif 000010
【図７Ｃ】
2015060464.tif 000011
【図７Ｄ】
2015060464.tif 000012
【図８】
2015060464.tif 000013
【図９Ａ】
2015060464.tif 000014
【図９Ｂ】
2015060464.tif 000015
【図９Ｃ】
2015060464.tif 000016
【図１０Ａ】
2015060464.tif 000017
【図１０Ｂ】
2015060464.tif 000018
【図１０Ｃ】
2015060464.tif 000019
【図１０Ｄ】
2015060464.tif 000020